(57)【要約】【課題】オートフォーカス動作の最中に不用意に撮影が行われてしまうことを回避する。【解決手段】画像を表示する表示手段４１７と、オートフォーカス動作を行うオートフォーカス手段４１３，４０２，４０７と、撮像光学系を通った光をオートフォーカス手段に導く光路分割手段と、光路分割手段を撮像光学系の光路から退避させ、撮像手段からの画像を表示手段に表示させるライブビュー制御手段４０２と、オートフォーカス動作を行わせる第１操作部材１１３と、画像を記録媒体に記録させるための第２操作部材ＳＷ２と、第１操作部材の操作によりオートフォーカス動作が行われている間は、第２操作部材の操作による記録媒体への画像記録を禁止する画像記録制御手段４０２とを有する。【選択図】図３
2009042365.tif 000002
【特許請求の範囲】
【請求項１】
物体像を光電変換する撮像手段と、
前記撮像手段からの信号に基づいて生成された画像を表示する表示手段と、
オートフォーカス動作を行うオートフォーカス手段と、
撮像光学系を通った光を前記オートフォーカス手段に導く光路分割手段と、
前記光路分割手段を前記撮像光学系から前記撮像手段への光路内から退避させ、前記撮像手段からの画像を前記表示手段に表示させるライブビュー制御手段と、
前記光路分割手段を前記光路内に進入させ、前記オートフォーカス動作を行わせる第１操作部材と、
前記撮像手段からの画像を記録媒体に記録させるための第２操作部材とを有するライブビュー可能な撮像装置であって、
前記第１操作部材の操作により前記オートフォーカス動作が行われている間は、前記第２操作部材の操作による前記記録媒体への画像記録を禁止する画像記録制御手段を有することを特徴とする撮像装置。
【請求項２】
前記画像記録制御手段は、合焦信号が得られるまで前記オートフォーカス動作を繰り返し、前記合焦信号が得られた後に前記オートフォーカス動作を禁止するオートフォーカスモードに設定されている場合、前記合焦信号が得られた後も前記第１操作部材が操作されているときには、前記第２操作部材の操作による画像記録を禁止することを特徴とする請求項１に記載の撮像装置。
【請求項３】
前記画像記録制御手段は、前記第１操作部材が操作されている間、前記オートフォーカス動作を繰り返すオートフォーカスモードに設定されている場合、前記第１操作部材の操作が停止されることにより、前記第２操作部材の操作による画像記録を許可することを特徴とする請求項１または２に記載の撮像装置。
【発明の詳細な説明】
【技術分野】
【０００１】
本発明は、撮影前に画像確認を可能とするライブビュー機能を有するデジタル一眼レフカメラ等の撮像装置に関する。
【背景技術】
【０００２】
一眼レフデジタルカメラ等の撮像装置では、撮像レンズからの光束のうち、一部をハーフミラーにより構成されるメインミラー（光路分割系）によって反射してファインダ光学系に導くことにより、被写体（物体）の光学的な観察を可能とする。また、ハーフミラーを透過した光束は、ハーフミラーの背後に配置されたサブミラーによって反射され、焦点検出部に導かれる。焦点検出部は、位相差検出等の焦点検出方式を用いて撮像レンズの焦点状態を検出し、該検出結果に基づいて撮像レンズを合焦位置に駆動するオートフォーカス（ＡＦ）を行う。
【０００３】
ＡＦモードとしては、ワンショットＡＦモードとサーボＡＦモードがある。ワンショットＡＦモードは、合焦するまで焦点検出を行い、撮像レンズが合焦位置に至った後は焦点検出を行わない。ワンショットＡＦモードにおいては、焦点検出開始から撮像レンズが合焦位置に至るまでレリーズは禁止され、ＡＦ中にレリーズスイッチを操作したとしても合焦後に撮影となる。
【０００４】
サーボＡＦモードは、焦点検出結果に関係なく繰返し焦点検出を行い、露光直前に正しいピントが得られるよう、被写体の位置を予測してピントを合わせ続ける。サーボＡＦモードでは、焦点検出中にレリーズが禁止されることは無く、ユーザーがレリーズスイッチを操作することでいつでも撮影が可能である。
【０００５】
一眼レフカメラにおいては、メインミラーによりファインダへ、サブミラーにより焦点検出部へ、撮像レンズからの光束を導く。そして、撮影時には、上記メインミラー及びサブミラーを撮像レンズの光路より退避させることで、撮像素子に撮像光束を導く構成となっている。
【０００６】
近年、一眼レフタイプのデジタルカメラにおいても、ミラーを撮影光路より退避させた状態で連続的に撮影を行い、外部モニターに動画的なライブビュー画像を表示する仕様が提案されている。このような構成において、特許文献１では、ライブビュー表示状態からＡＦ釦が押された場合、ミラーを反射位置（撮像レンズの光路内）に復帰させ、ＡＦを行う、つまり焦点検出および撮像レンズ制御を行う。そして、その後ＡＦ釦が押し続けられていても、撮像レンズが合焦位置に制御された後は自動的にライブビューに復帰し、レリーズが可能となる技術が開示されている。
【特許文献１】特開２００５−２０３９７号公報
【発明の開示】
【発明が解決しようとする課題】
【０００７】
しかしながら、ライブビュー表示が可能な一眼レフタイプのデジタルカメラにおいては、レリーズ釦の半押しでフォーカス動作を行い、レリーズ釦の全押しでレリーズ動作を行うが、以下のような課題を有していた。
【０００８】
つまり、ワンショットＡＦが選択されている場合、レリーズ釦が使用者によって半押しされるとライブビュー表示状態を止め、ミラーを反射位置に復帰させてＡＦ動作を行い、合焦した後にレリーズ釦が全押しされると、撮影を行う。合焦する前にレリーズ釦が全押しされたとしても、合焦状態になってから撮影を行う。サーボＡＦが選択されている場合は、焦点状態に関係なくピントを合わせ続け、レリーズ釦が全押しされたタイミングで撮影が行われてしまう。
【０００９】
上記のようにワンショットＡＦでは、合焦でピント合わせが終了するが、サーボＡＦでは終了がない。また、焦点検出を行っている最中はライブビューによる被写体確認が出来ない。したがって、サーボＡＦでは、レリーズ釦を全押しすると、ライブビュー表示もなく、焦点検出状況もわからないまま不用意な撮影が行われるという課題を有していた。
【００１０】
ＡＦを行う操作部材とレリーズを行う操作部材を分けたタイプのカメラもあるが、ＡＦを行っている最中はライブビューによる被写体確認が出来ないので、上記課題は解決していない。
【００１１】
（発明の目的）
本発明の目的は、オートフォーカス動作を行っている最中に不用意に撮影が行われてしまうことを回避することのできる撮像装置を提供しようとするものである。
【課題を解決するための手段】
【００１２】
上記目的を達成するために、本発明は、物体像を光電変換する撮像手段と、前記撮像手段からの信号に基づいて生成された画像を表示する表示手段と、オートフォーカス動作を行うオートフォーカス手段と、撮像光学系を通った光を前記オートフォーカス手段に導く光路分割手段と、前記光路分割手段を前記撮像光学系から前記撮像手段への光路内から退避させ、前記撮像手段からの画像を前記表示手段に表示させるライブビュー制御手段と、前記光路分割手段を前記光路内に進入させ、前記オートフォーカス動作を行わせる第１操作部材と、前記撮像手段からの画像を記録媒体に記録させるための第２操作部材とを有するライブビュー可能な撮像装置であって、前記第１操作部材の操作により前記オートフォーカス動作が行われている間は、前記第２操作部材の操作による前記記録媒体への画像記録を禁止する画像記録制御手段を有する撮像装置とするものである。
【発明の効果】
【００１３】
本発明によれば、オートフォーカス動作を行っている最中に不用意に撮影が行われてしまうことを回避することができる撮像装置を提供できるものである。
【発明を実施するための最良の形態】
【００１４】
本発明を実施するための最良の形態は、以下の実施例に示す通りである。
【実施例】
【００１５】
図１は本発明の一実施例に係る撮像装置であるデジタルカメラの外観を示す斜視図である。
【００１６】
図１において、カメラ本体１００の上部には、ファインダ観察用の接眼窓１１１、レリーズ釦１１４、電子ダイアル１１５および撮影モードダイアル１１７が設けられている。
【００１７】
後述のメインミラー２０がダウン位置（後述する撮像レンズの撮像光学系１９の光路内）にある場合、接眼窓１１１から被写体を観察できる。レリーズ釦１１４は、半押し状態でＯＮするスイッチＳＷ１と全押し状態でＯＮするスイッチＳＷ２に電気スイッチに連動している。レリーズ釦１１４を全押しすることにより、ユーザーは画像を記録（保存）することが出来る。電子ダイアル１１５は、他の操作釦と併用して、カメラに数値を入力したり、各種の動作モードを切り換えたりするための多機能信号入力部材である。
【００１８】
カメラ本体１００の背面には、撮影された画像や各種設定画面やライブビュー画像などを表示するＬＣＤなどによるモニター部４１７、それをＯＮ／ＯＦＦするためのモニター釦１２１が具備されている。さらには、サブ電子ダイアル１１９、ＳＥＴ（セット）釦１１６及びメニュー釦１２４、ＡＦ（オートフォーカス）釦１１３などが設けられている。
【００１９】
ＡＦ釦１１３は、位相差方式による焦点検出部４１３を作動させ、焦点検出結果（合焦信号）に基づいて撮像レンズ１８の撮像光学系１９を駆動させる、つまりオートフォーカス動作を開始させるためのものである。メニュー釦１２４は、モニター部４１７にカメラの各種設定を行うためのメニュー画面を表示させるためのものである。メニュー画面では、設定項目のリストが表示される。サブ電子ダイアル１１９で設定項目の選択を行い、希望する設定項目でＳＥＴ釦１１６を押すと、その設定項目の設定画面になる。なお、メニュー画面からＡＦモード設定する方法については後述する。また、ライブビュー表示中に、ＡＦ釦１１３を押すと、ライブビューを中止して、ＡＦ動作を行う。
【００２０】
図２は、上記のデジタルカメラの光学配置図である。
【００２１】
図２において、１００はカメラ本体、１９は撮像光学系、１８は撮像光学系１９および絞りを含む撮像レンズである。４１３は焦点検出系（光学系および焦点検出センサ）からなる焦点検出部である。焦点検出部４１３では、撮像光学系１９によって形成される異なる射出瞳領域を通過した被写体からの光束を２次結像させ、得られた一対の像の相対位置変位量を求めることにより被写体のデフォーカス量を検出する。
【００２２】
ハーフミラーからなるメインミラー２０は、被写体からの光束をサブミラー２４の方向と光学ファインダに分離する。メインミラー２０に保持されたサブミラー２４は被写体からの光束を焦点検出部４１３に導く。メインミラー２０、サブミラー２４がダウン位置にある場合、焦点検出部４１３による焦点検出が可能となる。ピント板２１、ペンタプリズム２２及び接眼レンズ２３により光学ファインダを構成する。
【００２３】
２０９，２１０はそれぞれシャッターを構成するシャッター後幕とシャッター先幕である。シャッター先幕２１０を走行させた（開放状態）後、所定時間経過後にシャッター後幕２０９を走行させる（遮光状態）ことにより、露光時間の制御が行われる。４１８は撮像素子であり、該撮像素子４１８によって画素毎の電気信号に変換された撮影画像は、図３にて後述するＡ／Ｄコンバータ４２３や画像処理回路４２５などによって処理され、画像データとして記録媒体に記録される。４１７は撮影された画像や各種設定画面などを表示するモニター部である。
【００２４】
２０ｕ，２４ｕは、それぞれメインミラー２０、サブミラー２４が撮像レンズ１８の撮像光学系１９等を通過する光路内から退避したアップ位置を表す。メインミラー２０、サブミラー２４が光路外に退避した状態で、シャッター後幕２０９を保持、シャッター先幕２１０を開放させると、撮影光学系１９等を通った光は撮像素子４１８に導かれる。この状態で連続的に撮影を行い、モニター部４１７に画像を表示することによってライブビュー表示を行うことが出来る。本実施例では、メインミラー２０およびサブミラー２４が上方に退避する構成であるが、横方向など別な方向に退避する構成としても良い。
【００２５】
図３は、上記構成のデジタルカメラの回路構成例を示すブロック図である。
【００２６】
図３において、４０２はマイクロコンピュータ（ＣＰＵ）であり、撮像素子４１８が出力する画像データの処理や、モニター部４１７での表示制御をはじめ、カメラ全体の動作を制御する。ＳＷ１（４０５）はレリーズ釦１１４の半押し状態でＯＮするスイッチであり、ＳＷ２（４０６）はレリーズ釦１１４が最後まで押された状態（全押し状態）でＯＮするスイッチである。スイッチＳＷ１がＯＮすると、デジタルカメラは撮影準備状態になる。つまり、測光開始、光学ファインダでの撮影時はＡＦ動作の開始となる。なお、測光動作は、不図示の測光手段により行われる。また、スイッチＳＷ２がＯＮすると、デジタルカメラは撮影動作（画像の取り込み及び記録）を開始する。スイッチＳＷ１，ＳＷ２は割り込みポートに接続されている。割り込みが禁止されていない場合、カメラの状態にかかわらず、決められた動作（測光やレリーズ動作）を行う。
【００２７】
４１０はスイッチセンス部であり、図１にも示した電子ダイアル１１５やＡＦ釦１１３を含む多数のスイッチ類の信号をマイクロコンピュータ４０２に伝える。４１３は焦点検出部であり、上記したようにＡＦ動作において、被写体に対する撮像光学系１９のデフォーカス量を検出する。４０７はレンズ制御部であり、撮像レンズ１８との通信及びＡＦ動作時の撮像光学系１９の駆動や絞り羽根の駆動の制御を行う。
【００２８】
マイクロコンピュータ４０２は焦点検出部４１３で検出されたデフォーカス量からレンズ駆動量を計算し（焦点検出を行い）、レンズ制御部４０７は計算されたレンズ駆動量にしたがって撮像光学系１９を駆動（焦点調節）を行う。つまり、ＡＦ動作が行われる。
【００２９】
４１５はメカ制御部であり、シャッター後幕２０９、シャッター先幕２１０、メインミラー２０、サブミラー２４の駆動制御をする。ライブビューの時は、メインミラー２０、サブミラー２４をアップ位置に制御し、シャッター後幕２０９を保持、シャッター先幕２１０を開放させた状態を維持することにより、撮像素子４１８に被写体からの光を導く。
【００３０】
４１７はモニター部であり、該モニター部４１７とバックライト照明装置（不図示）で画像表示装置を構成している。４１８は撮像素子であり、該撮像素子４１８から出力された信号のアナログ出力はＡ／Ｄコンバータ４２３によりデジタル信号化され、バッファメモリ４２４に一時的に記憶される。４２５は画像処理部であり、バッファメモリ４２４から読み出された画素信号に対してオートホワイトバランス、輝度、色信号生成その他の色処理を施す。この画像処理部４２５により生成されたカラー画像信号は、再度バッファメモリ４２４に蓄えられる。再度バッファメモリ４２４に蓄えられたカラー画像信号はモニター部４１７にカラー画像として表示される。
【００３１】
マイクロコンピュータ４０２が、メインミラー２０、サブミラー２４を撮像光学系１９の光路外に退避させた後、撮像素子４１８から出力された信号を処理し、モニター部４１７に表示することを繰り返し行う。このことにより、ライブビュー動作（電子ビューファインダ）が実現できる。
【００３２】
４０３は記録再生処理部であり、バッファメモリ４２４に蓄えられたカラー画像信号を記録媒体４０４に記録する。レリーズ動作では、得られた画像を記録媒体４０４に記録するが、ライブビューでは記録しない。記録媒体４０４は、例えばカード型フラッシュメモリのような半導体メモリにより構成されたメモリカードなどが一般的である。記録媒体４０４に記録された画像を再生するときは、記録再生処理部４０３により画像データの再生処理を行い、一時的にカラー画像信号としてバッファメモリ４２４に記憶し、それをモニター部４１７で画像を表示（再生）する。
【００３３】
次に、図４を用いて、本実施例に係わるデジタルカメラの状態遷移を説明する。デジタルカメラには、カメラ状態（Ｃ）、ライブビュー状態（Ｌ）、再生状態（Ｐ）、メニュー状態（Ｍ）の４つの状態がある。
【００３４】
カメラ状態（Ｃ）は，光学ファインダを使って撮影が可能な状態である。モニター部４１７には、ＴＶ値（シャッタ−秒時）、ＡＶ値（絞り値）、ＩＳＯ感度、撮影モード、画像サイズ、撮影可能枚数など撮影に必要な情報が表示されている。カメラの電源がＯＮされ、起動すると，この状態になる。また、カメラが起動したら，レリーズ釦１１４の全押しに連動したスイッチＳＷ２の割り込みが許可され、特に割り込みが禁止されない限り、いつでも撮影動作（画像の取り込み及び記録）が可能になる。
【００３５】
カメラ状態（Ｃ）から、レリーズ釦１１４の半押しによりスイッチＳＷ１がＯＮされると、測光動作およびＡＦ動作を開始する。続いて、スイッチＳＷ２がＯＮされることにより、レリーズ動作を行う。カメラ状態（Ｃ）からＡＦ釦１１３を押下してもＡＦ動作を行う。
【００３６】
再生状態（Ｐ）もしくはメニュー状態（Ｍ）で、スイッチＳＷ１がＯＮされると、それぞれの状態を抜けて、カメラ状態（Ｃ）になる。
【００３７】
撮影モードダイアル１１７を変更すると、カメラ状態（Ｃ）のまま撮影モードが変更され、撮影モード表示が更新される。さらに、ＴＶ優先撮影モード及びマニュアル撮影モードでは、電子ダイアル１１５を操作することにより、直接ＴＶ値を変更することができる（ＡＶ優先撮影モードではＡＶ値変更ができる）。
【００３８】
カメラ状態（Ｃ）から、ＳＥＴ釦１１６を押下することによって、ライブビュー状態（Ｌ）になる。また、カメラ状態（Ｃ）から、メニュー釦１２４もしくはモニター釦１２１を押下すると、それぞれメニュー状態（Ｍ）、再生状態（Ｐ）になる。
【００３９】
ライブビュー状態（Ｌ）は、メインミラー２０、サブミラー２４を撮像光学系１９の光路外に退避させ、シャッターを開放した状態で連続的に撮影を行い、モニター部４１７に画像（ライブビュー画像）を表示する状態である。ライブビュー画像にオーバーラップして撮影情報（ＴＶ値、ＡＶ値、ＩＳＯ感度など）が表示される。カメラ状態（Ｃ）から、ＳＥＴ釦１１６押下でライブビュー状態（Ｌ）になる。
【００４０】
ＴＶ優先撮影モードおよびマニュアル撮影モードでは、電子ダイアル１１５を操作することによってライブビュー状態（Ｌ）のまま、ＴＶ値を変更することができる（ＡＶ優先撮影モードではＡＶ値を変更できる）。
【００４１】
ライブビュー状態（Ｌ）で、ＡＦ釦１１３を押下すると、メインミラー２０、サブミラー２４が撮像光学系１９の光路内に位置し、ＡＦ動作が行われる。撮像素子４１８は遮光されるため、モニター部４１７にはライブビュー表示を行うことはできない。
【００４２】
ライブビュー状態（Ｌ）で、スイッチＳＷ１がＯＮされると、測光動作を開始する。ライブビュー状態での測光動作は、撮像素子４１８の出力信号を用いて行われる。なお、（Ｌ）ライブビューの状態はスイッチＳＷ１がＯＮされても維持され、カメラ状態（Ｃ）にはならない。続いて、スイッチＳＷ２がＯＮされることにより、レリーズ動作が行われる（レリーズ動作が禁止されている場合は除く）。なお、ライブビュー中のＡＦに付随する動作に関しては、図１を用いて詳しく説明する。
【００４３】
ライブビュー状態（Ｌ）から、メニュー釦１２４を押下すると、ライブビューを終了し、メニュー状態（Ｍ）になる。メニュー状態（Ｍ）を終了してもライブビュー状態（Ｌ）には戻らない。また、ライブビュー状態（Ｌ）から、モニター釦１２１を押下すると、ライブビューを終了し、再生状態（Ｐ）になる。再生状態（Ｐ）を終了してもライブビュー状態（Ｌ）には戻らない。
【００４４】
撮影モードダイアル１１７を回し、撮影モードを変更すると、ライブビュー状態（Ｌ）を終了し、カメラ状態（Ｃ）になる。ＳＥＴ釦１１６を押下するとライブビューを終了し、カメラ状態（Ｃ）になる。カメラ状態（Ｃ）とライブビュー状態（Ｌ）は、ＳＥＴ釦１１６を押すごとに状態が入れ替わる。
【００４５】
再生状態（Ｐ）では、撮影済みの画像を再生表示する。カメラ状態（Ｃ）、ライブビュー状態（Ｌ）、メニュー状態（Ｍ）で、モニター釦１２１を押下することにより、再生状態（Ｐ）になる。再生状態（Ｐ）で、メニュー釦１２４の押下でメニュー状態（Ｍ）になる。再生状態（Ｐ）で、モニター釦１２１の押下、スイッチＳＷ１のＯＮでカメラ状態（Ｃ）になる。再生状態（Ｐ）で、撮影モードダイアル１１７を変更すると、カメラ状態（Ｃ）になり撮影モードが変更される。再生状態（Ｐ）から、ＳＥＴ釦１１６を押下しても、直接ライブビュー状態（Ｌ）にはならない。
【００４６】
メニュー状態（Ｍ）では、設定項目のリストを表示し、カメラの様々な設定を行う（設定項目ごとにサブ画面（下位階層画面）を表示し設定を行う）ことが可能である。カメラ状態（Ｃ）、ライブビュー状態（Ｌ）、再生状態（Ｐ）で、メニュー釦１２４を押下することにより、メニュー状態（Ｍ）のＴＯＰ画面になる。
【００４７】
メニュー状態（Ｍ）で、スイッチＳＷ１がＯＮされると、カメラ状態（Ｃ）になる。メニュー状態（Ｍ）で、モニター釦１２１を押下すると、再生状態（Ｐ）になる。メニュー状態（Ｍ）ＴＯＰ画面で、メニュー釦１２４を押下すると、カメラ状態（Ｃ）になる。メニュー状態（Ｍ）サブＰ画面で、メニュー釦１２４を押下すると、一つ上の階層の画面に戻る。メニュー状態（Ｍ）で、撮影モードダイアル１１７を変更すると、カメラ状態（Ｃ）になり、撮影モードが変更される。メニュー状態（Ｍ）で、ＳＥＴ釦１１６を押下すると、選択されている項目の設定（又は設定画面表示）となり、ライブビュー状態（Ｌ）にはならない。
【００４８】
メニュー画面からＡＦモードを設定する例を、図５を使って説明する。
【００４９】
図４のカメラ状態（Ｃ）で、メニュー釦１２４を押す（図５（１）参照）と、図４のメニュー状態（Ｍ）になり、設定メニュー（ＴＯＰ階層）を表示する（図５（２）参照）。この状態でサブ電子ダイアル１１９を操作して、設定メニューの項目の中から“ＡＦモード設定”を選択する。そして、ＳＥＴ釦１１６を押下すると、ＡＦモードを設定する画面（図５（３）参照）になる。ＡＦモードは“ワンショットＡＦ”と“サーボＡＦ”の２種類があり、サブ電子ダイアル１１９で選択することが出来る。
【００５０】
設定したいＡＦモードを選択した状態（例えばワンショットＡＦ）でＳＥＴ釦１１６を押すと、設定したいＡＦモードが設定される（ワンショットＡＦモードになる）。設定が終了すると共に画面は設定メニュー（図５（４）参照）に戻る。さらにメニュー釦１２４を押下すると、カメラ状態（図５（５）参照）に戻る。
【００５１】
最初の状態がライブビュー状態（Ｌ）でも、同様にＡＦモードを設定できる。
【００５２】
次に、図６のフローチャートを用いて、デジタルカメラの全体シーケンスの中で、ライブビューに関する動作について説明する。なお、このフローチャートでは、ライブビュー状態通常シーケンス中でのＡＦに付随する動作について説明しており、特殊な動作や、不慮の事故に対するトラブル処理については記述していない。
【００５３】
このフローチャートは、図４のカメラ状態（Ｃ）からライブビューを開始する部分より始まる。マイクロコンピュータ４０２は、ステップＳ１００１より動作を開始する。そして、まずステップＳ１０１２にて、ＳＥＴ釦１１６がＯＦＦからＯＮ（押下）になるのを待つ。ＳＥＴ釦１１６がＯＦＦからＯＮになったことを判定するとステップＳ１０１４へ進み、メカ制御部４１５を制御し、メインミラー２０、サブミラー２４をアップ位置（図２の２０ｕ，２４ｕの位置）に駆動する。さらに、シャッター先幕２１０を走行させ、シャッター開放状態にする。
【００５４】
次のステップＳ１０１６では、マイクロコンピュータ４０２は、撮像素子４１８に撮影光束が導かれた状態で、連続的に撮像を行い、モニター部４１７にライブビュー画像を表示する。ライブビュー中の蓄積時間の制御やフレームレート、読み出し時のゲイン制御などの詳しい説明は省略する。
【００５５】
次のステップＳ１０１８では、マイクロコンピュータ４０２は、ライブビュー中にＡＦ釦１１３がＯＮされたか否かを判定する。ＡＦ釦１１３がＯＮされていればステップＳ１０２０へ進み、後述のようにライブビュー中のＡＦ動作を開始する。ＯＮされていなければ、ＡＦ動作を飛ばしてステップＳ１１００に進む。
【００５６】
ＡＦ釦１１３がＯＮされてステップＳ１０２０へ進むと、まずレリーズ禁止を行う。つまり、レリーズ釦１１４の全押しによってＯＮするスイッチＳＷ２の割り込みを禁止することにより、画像の撮影動作（レリーズ動作）を禁止する。なお、スイッチＳＷ２はマイクロコンピュータ４０２に接続されており、カメラの起動終了後にスイッチＳＷ２の割り込みが許可される。そして、割り込みが許可された状態でスイッチＳＷ２がＯＮすると、図７にて後述する“レリーズ”サブルーチンが実行され、画像の撮影動作が行われる。
【００５７】
次のステップＳ１０３０では、これから行うＡＦ動作中は撮像素子４１８に光が導かれないため、マイクロコンピュータ４０２は、ライブビュー動作を中止する。そして、焦点検出を行うに際してメインミラー２０およびサブミラー２４をダウンさせる。本実施例では、メインミラー２０に連動してサブミラー２４が焦点検出可能な位置に移動する構成であるが、サブミラー単体で焦点検出可能な位置に移動できる構成としても良い。また、メインミラー２０で焦点検出部４１３に光束を導く構成にし、サブミラー２４を用いない構成にしても良い。いずれにせよ、焦点検出を行うためには撮像素子４１８へ導かれる光束の一部または全部が遮られる構成とする。また、シャッターも閉じる。
【００５８】
次のステップＳ１０５０では、マイクロコンピュータ４０２は、焦点検出部４１３により位相差ＡＦにより被写体のデフォーカス量を検出する。そして、検出したデフォーカス量から所定の演算によりレンズ駆動量を算出し、レンズ制御部４０７に出力する。これにより、レンズ制御部４０７が算出されたレンズ駆動量分だけ撮像光学系１９を駆動制御する。つまり、このステップにて、ＡＦ動作を行う。
【００５９】
次のステップＳ１０６０では、ＡＦ釦１１３がＯＦＦされたか判定し、ＯＦＦでなければ再びステップ１０５０へ戻り、ＡＦ動作を行う。つまり、ＡＦ釦１１３がＯＮされている間、デフォーカス検出→レンズ駆動量算出→レンズ駆動の動作を繰り返す、ＡＦ動作を実行する。ここで、ＡＦモードがワンショットＡＦモードの場合は、検出されたデフォーカス量が所定以下になった場合、換言すれば合焦信号が得られた後はレンズ駆動を行わない。一方、サーボＡＦモードの場合は、検出されたデフォーカス量に関係なく、つまり合焦信号に関係なく、繰り返しレンズ駆動を行う。さらに、レンズ駆動量計算は、露光直前に正しいピントが得られるように被写体の位置を予測しておく。
【００６０】
その後、ＡＦ釦１１３がＯＦＦされたらステップＳ１０６０からステップＳ１０７０へ進む。そして、ここではメインミラー２０、サブミラー２４をアップ位置（図２の位置２０ｕ，２４ｕ）に駆動し、さらに、シャッター先幕２１０を走行させてシャッター開放状態にする。
【００６１】
次のステップＳ１０８０では、撮像素子４１８の撮影動作とモニター部４１７への表示を連続的に行い、ライブビューを再開する。ここで、ライブビュー表示を見ることで、被写体の状態（フレーミング）や焦点状態の確認を行うことが出来る。
【００６２】
次のステップＳ１０９０では、上記ステップＳ１０２０で禁止したレリーズ割り込みの禁止を解除して、スイッチＳＷ２の割り込みを許可し、画像の記録動作（レリーズ動作）を許可する。したがって、これ以降、レリーズ釦１１４を全押しすると、“レリーズ”サブルーチンが割り込み処理され、画像の記録動作を行うことが可能となる。
【００６３】
上記のように、ライブビュー中にＡＦ釦１１３の操作が行われたら（ＯＮされたら）、レリーズを禁止しライブビューを中止して、ＡＦ動作を行う（Ｓ１０１６→Ｓ１０１８→Ｓ１０２０→１０３０→１０４０→１０５０）。その後、ＡＦ釦１１３の操作が停止されたら（ＯＦＦされたら）ライブビューを再開すると共に、レリーズ割り込みを許可する（Ｓ１０６０→Ｓ１０７０→Ｓ１０８０→Ｓ１０９０）構成にしている。このことにより、ＡＦ動作中に不用意に撮影が行われてしまうことがない。特にサーボＡＦモードでは、常にレンズ駆動が行われて被写体を追い続けており、この状態では被写体を確認することが出来ないが、このような状態で使用者が意図しない撮影を行ってしまう、といったことを防ぐことができる。
【００６４】
上記一連のＡＦ動作が終了した後、または、ＡＦ釦１１３の操作が行われなかった場合はステップＳ１１００へ進み、マイクロコンピュータ４０２は、その他のスイッチの操作に対する対応を行う。例えば、電子ダイアル１１５による設定値変更や、ライブビューの表示形式の切り換え（操作部材は不図示）などを行う。また、操作部材の種類によっては、ライブビュー状態を終了して対応する動作を行う（メニュー釦１２４、モニター釦１２１など）。
【００６５】
その後はステップＳ１１０５へ進み、マイクロコンピュータ４０２は、ＳＥＴ釦１１６がＯＮされたか否かを判定する。ここで、ＳＥＴ釦１１６がＯＮされていなければ引き続きライブビューを続けると共にステップＳ１０１８へ戻り、ＡＦ釦１１３およびその他のスイッチに対する対応を繰り返す。
【００６６】
上記ステップＳ１１０５にてＳＥＴ釦１１６がＯＮされたことを判定すると、マイクロコンピュータ４０２は、ステップＳ１１１０へ処理を進める。そして、ここでは撮像素子４１８の動作およびモニター部４１７の表示を中止し、ライブビューを終了する。続くステップＳ１１２０では、メカ制御部４１５を制御し、メインミラー２０、サブミラー２４をダウン位置に駆動する。さらに、シャッターをチャージし、撮像素子４１８を遮光状態にする。最後に、ステップ１１２にて、図４のカメラ状態（Ｃ）に戻る。
【００６７】
次に、図７のフローチャートを用いて、ライブビュー中の“レリーズ”サブルーチンの動作について説明する。この動作は割り込みルーチンで実行される。
【００６８】
まず、レリーズ割り込みが許可されている時にレリーズ釦１１４の全押しによりスイッチＳＷ２がＯＮすると、割り込み処理により“レリーズ”サブルーチンがコールされ、ステップＳ５１０を介してステップＳ５２０より動作を開始する。ステップＳ５２０では、レリーズ割り込みを禁止する。そして、次のステップＳ５２５にて、静止画撮影を行うため、ライブビュー動作を終了させる。シャッターチャージを行い、シャッター先幕２１０を走行前の位置に駆動する。
【００６９】
次のステップＳ５３０では、絞りの制御値とシャッター速度の計算を行う。絞りとシャッター速度は、カメラの撮影モードや測光値あるいは設定値により所定のアルゴリズムにより計算される。絞り値とシャッタースピードが予め設定されている場合は、ここで改めて計算する必要は無い。続くステップＳ５４０では、撮像レンズ１８内に設けた絞りを上記ステップＳ５３０で計算した値にレンズ制御部４０７により制御する。ライブビュー撮影の場合、既にメインミラー２０及びサブミラー２４はアップ位置にあるため、ここでミラー駆動の必要は無い。
【００７０】
次のステップＳ５４５では、撮像素子４１８の電荷蓄積（ＣＣＤ蓄積）を開始する。そして、次のステップＳ５５０にて、シャッター制御部４１５によりシャッター先幕２１０を走行させて露光を開始する。その後、上記ステップＳ５３０にて計算した所定時間経過後にシャッター後幕２０９を走行させて露光を終了させる。続くステップＳ５５５では、シャッター後幕２０９の走行が完了したら、撮像素子４１８の電荷蓄積（ＣＣＤ蓄積）を終了させる。
【００７１】
次のステップＳ５６０では、撮像レンズ１８内に設けた絞りをレンズ制御部４１５により開放に制御する。そして、次のステップＳ５６５にて、撮像素子４１８から画像信号を読み出し、Ａ／Ｄコンバータ４２３及び画像処理部４２５で処理した画像データを、バッファメモリ４２４に一時的に記憶する。続くステップＳ５６７では、バッファメモリ４２４から読み出された画素信号に対して画像処理部４２５でカラー画像信号に変換し、記録再生処理部４０３によって記録媒体４０４に記録する。
【００７２】
次のステップＳ５７０では、シャッターチャージを行い、シャッター先幕２１０及びシャッター後幕２０９を走行前の位置に駆動する。そして、次のステップＳ５７５にて、撮像素子４１８のライブビュー動作を再開する。最後にステップＳ５８０にて、割り込み禁止を解除する。
【００７３】
以上により、一連のレリーズ動作を終了する。
【００７４】
図７のフローチャートでは、ライブビュー状態（Ｌ）からレリーズを行う場合を説明している。カメラ状態（Ｃ）からレリーズする場合も割り込み処理により実施される。具体的には、ステップＳ５２５，Ｓ５７５でのライブビューの中止／開始処理は不要になり、ステップＳ５４０，ステップＳ５７０において、ミラー駆動（アップ／ダウン）動作が必要になる。
【００７５】
以上説明したように本実施例によれば、ライブビュー中にＡＦ釦１１３がＯＮされたら、レリーズを禁止してＡＦ動作を行う。ＡＦ釦１１３がＯＦＦされたら、ライブビューを再開すると共に、レリーズ割り込みを許可する構成にしている。よって、ＡＦ動作中に不用意に撮影が行われてしまうことを防いでいる。
【００７６】
特にサーボＡＦモードにおいては、常に撮像光学系１０９が動いて被写体を追い続けた状態で該被写体を確認することも出来ないまま、意図しない撮影を行ってしまう、といったことを防ぐことができる。また、ワンショットＡＦモードにおいても、ＡＦ釦１１３がＯＦＦされるとライブビューを再開し、その後レリーズが許可されて撮影が可能となるので、ユーザーが意図しないのにライブビューが再開されたり、撮影が行われたりすることがない。
【００７７】
（本発明と実施例の対応）
撮像素子４１８が、本発明の、物体像を光電変換する撮像手段に、モニター部４１７が、本発明の、撮像手段からの信号に基づいて生成された画像を表示する表示手段に、それぞれ相当する。また、焦点検出部４１３、マイクロコンピュータ４０２およびレンズ制御部４０７が、本発明の、オートフォーカス動作を行うオートフォーカス手段に相当する。また、メインミラー２０およびサブミラー２４が、本発明の、撮像光学系を通った光をオートフォーカス手段に導く光路分割手段に相当する。
【００７８】
また、マイクロコンピュータ４０２が、本発明の、光路分割手段を撮像光学系から撮像手段への光路内から退避させ、撮像手段からの画像を表示手段に表示させるライブビュー制御手段に相当する。また、ＡＦ釦１３３が、本発明の、光路分割手段を光路内に進入させ、オートフォーカス動作を行わせる第１操作部材に相当する。また、レリーズ釦１１４のスイッチＳＷ２が、本発明の、撮像手段からの画像を記録媒体４０４に記録させるための第２操作部材に相当する。また、マイクロコンピュータ４０２の図６に示すステップＳ１０２０の部分が、本発明の、第１操作部材の操作によりオートフォーカス動作が行われている間は、第２操作部材の操作による記録媒体への画像記録を禁止する画像記録制御手段に相当する。
【００７９】
また、記録媒体４０４が本発明の記録媒体に相当する。また、ワンショットＡＦモードが、本発明の、合焦信号が得られるまでオートフォーカス動作を繰り返し、合焦信号が得られた後にオートフォーカス動作を禁止するオートフォーカスモードに相当する。また、サーボＡＦモードが、本発明の、第１操作部材が操作されている間、オートフォーカス動作を繰り返すオートフォーカスモードに相当する。
【００８０】
本発明は、ライブビュー可能なデジタルカメラ、さらに詳しくは、撮影前に画像確認をするライブビュー機能を有し、ライブビュー動作中にフォーカス調整を行うのに適したデジタル一眼レフタイプの撮像装置に利用可能である。
【図面の簡単な説明】
【００８１】
【図１】本発明の一実施例に係るデジタルカメラを示す斜視図である。
【図２】本発明の一実施例に係るデジタルカメラの光学配置図である。
【図３】本発明の一実施例に係るデジタルカメラの回路構成を示すブロック図である。
【図４】本発明の一実施例に係わるデジタルカメラの状態遷移図である。
【図５】本発明の一実施例に係わるデジタルカメラのＡＦモード設定時を説明するための図である。
【図６】本発明の一実施例に係るデジタルカメラのライブビュー動作を示すフローチャートである。
【図７】本発明の一実施例に係るデジタルカメラのレリーズ動作を示すフローチャートである。
【符号の説明】
【００８２】
１８      撮像レンズ
１９      撮像光学系
２０      メインミラー
２４      サブミラー
１００    カメラ本体
１１３    ＡＦ釦
１１４    レリーズ釦
１１５    電子ダイアル
１１６    ＳＥＴ釦
４０２    マイクロコンピュータ
４０７    レンズ制御部
４１３    焦点検出部
４１７    モニター部
４１８    撮像素子
４２５    画像処理部
【図１】
2009042365.tif 000003
【図２】
2009042365.tif 000004
【図３】
2009042365.tif 000005
【図４】
2009042365.tif 000006
【図５】
2009042365.tif 000007
【図６】
2009042365.tif 000008
【図７】
2009042365.tif 000009